(57)【要約】【課題】  変換素子に対し放射線と異なる波長の光を発する光源と放射線センサパネルとの接触による撮影画像の画質への影響を抑制すること。【解決手段】  放射線を画像信号に変換する放射線センサパネル１０３と、放射線センサパネル１０３に放射線と異なる波長の光を発する光源部１０８と、放射線センサパネル１０３及び光源部１０８を内包する筺体と、光源部１０８を保持する保持部と、を有し、保持部は、光源部１０８に荷重を付与するか、もしくは予め変形された光源部１０８を保持することにより、光源部１０８と放射線センサパネル１０３とを接触させずに光源部１０８を保持する保持部と、を有することを特徴とする放射線撮影装置。【選択図】  図１
2015210181.tif 000002
【特許請求の範囲】
【請求項１】
放射線を画像信号に変換する放射線センサパネルと、
前記放射線センサパネルに前記放射線と異なる波長の光を発する光源部と、
前記放射線センサパネル及び前記光源部を内包する筺体と、
前記光源部を保持する保持部と、を有し、
前記保持部は、前記光源部に荷重を付与するか、もしくは予め変形された前記光源部を保持することにより、前記光源部と前記放射線センサパネルとを接触させずに保持することを特徴とする放射線撮影装置。
【請求項２】
前記保持部は、前記筺体と前記光源部の外縁部との間に配置され、前記光源部に対し前記光源部の外縁部から前記光源部の内側へと荷重を付与することを特徴とする請求項１に記載の放射線撮影装置。
【請求項３】
前記保持部は、前記光源部に対し前記光源部の外縁部から前記光源部の内側へと荷重を付与する圧縮荷重部と、
前記圧縮荷重部から加えられた荷重に応じて前記放射線センサパネルが配置された方向に前記光源が変形することを抑制する変形抑制部と、
を有し、前記筺体と前記光源部の外縁部との間に配置されることを特徴とする請求項１又は２に記載の放射線撮影装置。
【請求項４】
前記圧縮荷重部と前記変形抑制部は、前記光源部を挟んで対向する位置に配置されていることを特徴とする請求項３に記載の放射線撮影装置。
【請求項５】
前記圧縮荷重部は、前記光源部に付与する荷重を調整するボルトを有することを特徴とする請求項３又は４のいずれか１項に記載の放射線撮影装置。
【請求項６】
前記圧縮荷重部が付与する荷重は、前記ボルトによって前記筺体の外部から調整可能であることを特徴とする請求項５に記載の放射線撮影装置。
【請求項７】
前記変形抑制部は、前記光源部の少なくとも一部を支持する光源支持部を有し、
前記光源支持部と前記放射線センサパネルの光電変換素子が配置された検出面とがなす角度は、０度以上４５度以下であることを特徴とする請求項３から６のいずれか１項に記載の放射線撮影装置。
【請求項８】
前記保持部は、前記光源部に対し前記光源部の外縁部から前記光源部の外側へ引く荷重を付与する引張荷重部を有し、前記筺体と前記光源部の外縁部との間に配置されることを特徴とする請求項１に記載の放射線撮影装置。
【請求項９】
前記圧縮荷重部又は前記引張荷重部は、前記光源部に対し前記荷重を付与する弾性体を有することを特徴とする請求項３から８のいずれか１項に記載の放射線撮影装置。
【請求項１０】
前記光源部は、前記放射線センサパネルが配置された側の表面の一部が、前記表面の一部を除く他の部分に比べて前記放射線センサパネルが配置された方向と反対の方向に位置する形状で、前記保持部に保持されていることを特徴とする請求項１から９のいずれか１項に記載の放射線撮影装置。
【請求項１１】
前記筺体は、放射線を入射させるための放射線入射部が設けられた放射線入射面と、放射線入射面とは異なる本体部と、を有し、
前記放射線センサパネルは、光電変換素子が配置された検出面と、前記検出面と対向する対向面と、を有し、
前記光源部は、前記放射線入射面と前記対向面との間に配置されており、
前記保持部は、前記対向面と接触させずに前記光源部を保持することを特徴とする請求項１から１０のいずれか１項に記載の放射線撮影装置。
【請求項１２】
前記保持部は、少なくとも一部が前記筺体に内包されていることを特徴とする請求項１から１１のいずれか１項に記載の放射線撮影装置。
【請求項１３】
請求項１から１２のいずれか１項に記載の放射線撮影装置と、
前記放射線撮影装置からの信号を処理する信号処理手段と、
を有することを特徴とする放射線撮影システム。
【発明の詳細な説明】
【技術分野】
【０００１】
本発明は、放射線を検出する放射線センサパネルを用いた放射線撮影装置及び放射線撮影システムに関するものである。
【背景技術】
【０００２】
放射線を検出可能な複数の変換素子により構成された放射線センサパネルを有する放射線撮影装置が提案されている。当該放射線撮影装置では、複数回の撮影に際して、先の撮影時の放射線の照射によって変換素子で発生し蓄積された電荷が、次の撮影時の撮影画像に残像となって現れることが知られている。このような残像を抑制するための対策として、放射線撮影装置に放射線と異なる波長の光を発する光源を配置し、当該光源から変換素子に対して光を照射する技術が知られている。放射線センサパネルは光が照射されることで、先の撮影時に蓄積された電荷による複数の変換素子間の特性のばらつきが改善される。
【０００３】
特許文献１に記載の発明では、変換素子を構成する光電変換素子を有する放射線センサパネルと、放射線センサパネルと接触せずに配置され、放射線と異なる波長の光を発する光源を有する放射線撮影装置が開示されている。また、特許文献２に記載の発明では、光電変換素子が配置された検出面を有する放射線センサパネルに対し、検出面と対向する面から放射線が照射される放射線撮影装置について開示がされている。そして、放射線と異なる波長の光を発する光源が当該対向する面側に配置されている。
【先行技術文献】
【特許文献】
【０００４】
【特許文献１】特開２００２−０４０１４４号公報
【特許文献２】特開２０１０−７８３８５号公報
【発明の概要】
【発明が解決しようとする課題】
【０００５】
しかしながら、特許文献２の構成に対して特許文献１のように放射線センサパネルと光源とを離して配置した場合、放射線センサパネルと光源との配置によっては、光源が自重により撓むため放射線センサパネルと接触するおそれがある。そして、放射線センサパネルと光源とが接触する際、あるいは接触した後に剥離がされる際の剥離帯電により、静電気が発生するおそれがある。そして、発生した静電気が放射線センサパネルへ伝搬し、撮影画像の画質に影響を及ぼすおそれがあった。
【０００６】
本発明は、上記課題を鑑みてなされたものであり、変換素子に対し放射線と異なる波長の光を発する光源と放射線センサパネルとの接触による撮影画像の画質への影響を抑制する放射線撮影装置を提供することを目的とする。
【課題を解決するための手段】
【０００７】
上記目的を達成するために、本発明に係る放射線撮影装置は、放射線を画像信号に変換する放射線センサパネルと、前記放射線センサパネルに前記放射線と異なる波長の光を発する光源部と、前記放射線センサパネル及び前記光源部を内包する筺体と、前記光源部を保持する保持部と、を有し、前記保持部は、前記光源部に荷重を付与するか、もしくは予め変形された前記光源部を保持することにより、前記光源部と前記放射線センサパネルとを接触させずに保持することを特徴とする。
【発明の効果】
【０００８】
本発明は、上記課題を鑑みてなされたものであり、変換素子に対し放射線と異なる波長の光を発する光源と放射線センサパネルとの接触による撮影画像の画質への影響を抑制できる。
【図面の簡単な説明】
【０００９】
【図１】第一の実施形態の放射線撮影装置を示す平面図および断面図である。
【図２】第一の実施形態の放射線撮影装置のブロック構成図である。
【図３】第二の実施形態の放射線撮影装置を示す断面図である。
【図４】第三の実施形態の放射線撮影装置を示す断面図である。
【図５】第四の実施形態の放射線撮影装置を示す構成図である。
【図６】第五の実施形態の放射線撮影装置を示す構成図である。
【図７】第一から第五の実施形態の放射線撮影装置の応用例としての放射線撮影システムを示す図である。
【発明を実施するための形態】
【００１０】
［実施例１］
図１を参照し、第一の実施形態における放射線撮影装置について説明する。図１は、第一の実施形態における放射線撮影装置の構成例を示している。図１（ａ）は放射線入射面側から見た平面図を示す図であり、図１（ｂ）は図１（ａ）のＡ−Ａ箇所の断面図を示す図である。
【００１１】
本実施例における放射線撮影装置１０１は、放射線センサパネル１０３と、放射線センサパネルと、光源部１０８と、筺体１０２と、保持部と、を有している。そして、当該保持部は、圧縮荷重部１２０と、変形抑制部１２１と、を有している。放射線撮影装置１０１は、パネル支持部１０４と、電気基板１０５と、ＦＰＣ１０６と、を更に有している。以下、放射線撮影装置１０１の各構成について詳細に説明する。
【００１２】
放射線センサパネル１０３は、放射線を画像信号に変換する機能を有する。放射線センサパネル１０３は、基板１０３ａに複数の光電変換素子１０３ｂが配置されている。放射線センサパネル１０３の複数の光電変換素子１０３ｂが配置された検出面側には、放射線を可視光に変換する蛍光体１０３ｃが配置されている。放射線撮影装置１０１に照射された放射線によって蛍光体１０３ｃは発光し、当該発光した光を放射線センサパネル１０３の複数の光電変換素子が画像信号に変換する。なお、放射線センサパネル１０３は、蛍光体１０３ｃと光電変換素子１０３ｂの代わりに、放射線を直接電荷に変換する変換素子を使用してもよい。更に、放射線センサパネル１０３は、反射板１０３ｄを有している。反射板１０３ｄは、蛍光体１０３ｃにより発光された光を反射させやすくする機能を有し、材料としてはアルミ等の金属のシートが用いられる。放射線センサパネル１０３は、光電変換素子１０３ｂが配置された検出面と、検出面と対向する対向面とを有する。そして、放射線撮影の際に、放射線は当該対向面側から入射される。放射線センサパネル１０３の対向面側から放射線が入射されることにより、光電変換素子１０３ｂにおける光の検出効率が向上され、更に得られた画像の鮮鋭度を向上させることができる。なお、以下、放射線が、放射線センサパネル１０３の対向面側から入射される放射線撮影装置について説明するがこれに限られるものではなく、放射線センサパネル１０３の検出面側から入射されるものであってもよい。
【００１３】
光源部１０８は、放射線と異なる波長の光を発する。このため、光源部１０８は、放射線センサパネル１０３の特性を改善するための光を発する機能を有する。また、光源部１０８は、筐体１０２と放射線センサパネル１０３の対向面との間に放射線センサパネル１０３の対向面と接触させずに配置される。更に、光源部１０８は、放射線入射部１０７が設けられた放射線入射面と放射線センサパネル１０３の対向面との間に配置されている。光源部１０８は、反射板１０８ａと、導光板１０８ｂと、第１の拡散板１０８ｃと第２の拡散板１０８ｄと、光源１０８ｅとを含んで積層され構成されている。以下、光源部１０８の各構成について説明する。
【００１４】
反射板１０８ａは、反射板１０８ａ側に透過してきた光を導光板１０８ｂ側に反射させ、放射線センサパネル１０３へ入射する光量を高める機能を有する。反射板１０８ａの材料は、例えば、ＰＥＴを含有した部材が用いられる。導光板１０８ｂは、光源１０８ｅが発する光を第１の拡散板１０８ｃに対して均一に光を導く機能を有する。導光板１０８ｂの材料は、光伝播効率が良く透明度の高い樹脂素材が用いられ、例えばアクリル樹脂が用いられる。第１の拡散板１０８ｃおよび第２の拡散板１０８ｄは、光源１０８ｅより発せられ導光板１０８ｂ内を伝搬した光を、各拡散板の面方向に拡散させながら、放射線センサパネル１０３の方向へ照射する機能を有する。つまり、光源部１０８における第２の拡散板１０８ｄは、光を発光する発光面として機能する。各拡散板は、例えば、ＰＥＴを含有した部材が用いられる。光源１０８ｅは、放射線センサパネル１０３の特性を改善するための光を発する機能を有する。光源１０８ｅは電気基板１０５により制御され発光され得る。放射線と異なる波長の光を発する光の波長域としては、赤外光又は可視光が用いられる。光源１０８ｅとしては、例えば、ＬＥＤやレーザー等が用いられる。
【００１５】
筺体１０２は、放射線センサパネル１０３及び光源部１０８を少なくとも内包している。又、保持部の少なくとも一部を内包している。更に、筺体１０２は、パネル支持部１０４と、電気基板１０５と、ＦＰＣ１０６、脚部１０４ａを内包している。筺体１０２は、放射線入射部１０７及び当該放射線入射部１０７とは異なる本体部を含んで構成されている。放射線入射部１０７は、放射線を入射させるための放射線入射面として機能する。放射線入射部１０７は、放射線入射面側に配置されるため放射線の吸収率が低く、且つ、衝撃などに対し一定の強度を有する。放射線入射部１０７の材料は、例えば、ＣＦＲＰ等が用いられる。本体部は、落下や衝撃などに対する強度を確保する機能を有する。本体部は、上カバー１０２ａとフレーム１０２ｂとを含んで構成される。上カバー１０２ａとフレーム１０２ｂの材料は、例えば、アルミニウム、マグネシウム及びＣＦＲＰ等の低比重の材料が用いられる。なお、放射線入射部１０７及び本体部は、ユーザが運搬する際の負担軽減のため軽量化されていることが好ましい。また、上カバー１０２ａの側面には、後述するボルト１１０ｃを固定するためにネジ穴が設けられている。
【００１６】
パネル支持部１０４は、放射線センサパネル１０３を支持し、且つ筐体１０２内での放射線センサパネル１０３の位置を規定する機能を有する。パネル支持部１０４は、複数の脚部１０４ａにより位置が規定されている。当該脚部１０４ａは、フレーム１０２ｂの内壁に接合されている。電気基板１０５は、放射線センサパネル１０３と、光源１０８ｅを制御する機能を少なくとも有している。電気基板１０５は、パネル支持部１０４とフレーム１０２ｂの内壁との間に配置されている。フレキシブルプリント配線板（ＦＰＣ）１０６は、電気基板１０５と、放射線センサパネル１０３及び光源部１０８と、を電気的に接続する機能を有する。
【００１７】
保持部は、光源部１０８に荷重を付与し、光源部１０８と放射線センサパネル１０３とを接触しないように光源部１０８を保持する機能を有する。保持部は、光源部１０８の外縁部から光源部１０８の内側へと荷重を付与することで当該保持を行うことができる。
【００１８】
保持部は、筺体１０２（フレーム１０２ｂ）と光源部１０８の外縁部との間に配置されている。更に、保持部は、光源部を挟んで対向する２辺に少なくとも配置されている。そして、保持部は、圧縮荷重部１２０と、変形抑制部１２１と、を有している。圧縮荷重部１２０と変形抑制部１２１は、光源部１０８を挟んで対向する位置に配置されている。以下、保持部の各構成について説明する。
【００１９】
圧縮荷重部１２０は、光源部１０８の外縁部から光源部１０８の内側へと荷重を付与する機能を有する。圧縮荷重部１２０は、圧縮ブロック１１０ｂとボルト１１０ｃとを含んで構成されている。ボルト１１０ｃが圧縮ブロック１１０ｂを押しこむことによって、光源部１０８の外縁部から光源部１０８の内側へと圧縮荷重が付与される。上カバー１０２ａも設けられたネジ穴からボルト１１０ｃを挿入し固定できる。圧縮荷重は、ボルト１１０ｃを押しこむ量で調整することができる。更に、圧縮荷重は、ボルト１１０ｃの数を増減することでも調整することもできる。ボルト１１０ｃは、筐体１０２の外部に露出させている。そのため、ボルト１１０ｃによって圧縮荷重を筺体１０２の外部から調整可能である。ボルト１１０ｃは、荷重に耐え得る材料で構成され、例えばＳＵＳや鋼等の金属が用いられる。圧縮ブロック１１０ｂは、荷重による変形が少なく軽い材料で構成され、例えばアルミ等の金属が用いられる。なお、ボルト１１０ｃによって圧縮ブロック１１０ｂの位置を規定することもできる。そのため、突き当てブロック１１０ａと圧縮ブロック１１０ｂの位置をあらかじめ規定した後に、突き当てブロック１１０ａと圧縮ブロック１１０ｂとの間に、光源部１０８を変位された状態で配置し保持する。それにより、突き当てブロック１１０ａと圧縮ブロック１１０ｂとにより、光源部１０８に荷重を付与し、放射線センサパネル１０３の対向面と接触させずに光源部１０８を保持することもできる。
【００２０】
変形抑制部１２１は、圧縮荷重部１２０から加えられた荷重に応じて放射線センサパネル１０３が配置された方向に光源１０８が変形することを抑制する機能を有する。図１（ｂ）では、圧縮荷重部１２０から加えられた荷重に応じて光源部１０８の自重による撓みが発生する方向に変形することを抑制している。変形抑制部１２１は、光源支持部１０９と突き当てブロック１１０ａとで構成される。光源支持部１０９は、光源部１０８の少なくとも一部を支持している。光源支持部１０９と放射線センサパネル１０３の検出面とがなす角度は、水平より大きい角度となるように規定されている。当該角度は、具体的には０度以上４５度以下となるように規定されている。突き当てブロック１１０ａは、圧縮ブロック１１０ｂと同じ材質が用いられる。したがって、光源部１０８は、記放射線センサパネル１０３が配置された方向と反対の方向に窪んだ形状で保持部に保持される。当該実施形態では保持部によって、光源部１０８の発光面が自重により撓む方向と反対の方向に窪んだ形状に保持される。なお、当該変形された形状による変形量は、放射線センサパネル１０３の特性を改善するための光を発する機能に影響がない範囲に調整され得る。そして光源１０８は、放射線センサパネル１０３が配置された側の表面の一部が、当該表面の一部を除く他の部分に比べて放射線センサパネル１０３が配置された方向と反対の方向に位置するような形状となる。
【００２１】
したがって、光源部１０８の自重による撓みが抑制され得る。そして、光源部１０８と放射線センサパネル１０３との接触を防止することができる。その結果として、接触に伴う静電気を起因とした画像の劣化及び筺体１０２の外部の衝撃による放射線パネル１０３への振動の伝達を抑制することができる。更に、放射線センサパネル１０３と光源部１０８を接着しなくとも衝撃に対して強度を確保できる。
【００２２】
次に、図２を参照し、放射線撮影装置のブロック構成図について説明する。電気基板１０５は、光源制御手段１０５ａと、読み出し手段１０５ｂと、駆動手段１０５ｃと、を有している。そして、電気基板１０５は、当該各手段を制御し、画像データを取得し、且つ放射線センサパネル１０３の特性ばらつきを改善し得る。
【００２３】
駆動手段１０５ｃは、放射線センサパネル１０３を駆動するための信号を出力する。
【００２４】
読み出し手段１０５ｂは、放射線センサパネル１０３が放射線に応じて蓄積した電荷に応じた画像信号を読み出す。読み出し手段１０５ｂは、画像信号の値に応じて画像データを生成する。読み出し手段１０５ｂは、読み出し回路、出力バッファアンプ及びアナログ／デジタル（Ａ／Ｄ）変換器を少なくとも有する。
【００２５】
光源制御手段１０５ａは、光源１０８ｅを点灯させるために必要な電力を生成するための電源回路を含んでいる。光源制御手段１０５ａが、光源１０８ｅに電力を供給することで、光源１０８ｅは光を発する（点灯する）ことができる。放射線センサパネル１０３は、光が照射されることで、先の撮影時に蓄積された電荷による複数の変換素子間の特性のばらつきが改善されるなお、各手段は、電気基板１０５が有しているとしたがこれに限られるものではなく、電気基板１０５とは別に構成されていてもよい。例えば、各手段はＦＰＣ１０６に配置し構成することもできる。
【００２６】
以上により、光源と放射線センサパネルとの接触の防止し、画質を向上させる放射線撮影装置を提供することができる。
【００２７】
［実施例２］
図３を用いて、第二の実施形態における放射線撮影装置について説明する。第一の実施形態との違いは、保持部の構成のうち圧縮荷重部が弾性体を有しており、当該弾性体によって荷重を付与する点で異なる。その他の構成については第一の実施形態と同様である。以下、詳細に説明する。
【００２８】
図３（ａ）は、第二の実施形態における放射線撮影装置１０１の断面図である。第二の実施形態における圧縮荷重部２１０は、圧縮ブロック２１０ｂと弾性体２１０ｃとを含んで構成されている。圧縮荷重の調整は、弾性率の異なる弾性体２１０ｃを入れ替えることで調整することができる。更に、弾性体２１０ｃの数を増減されることで荷重を調整することもできる。
【００２９】
弾性体２１０ｃは、所定の弾性率を有し、且つ荷重に耐えられる材料が用いられる。弾性体２１０ｃの材料としては例えば、鋼等の金属が用いられる。
【００３０】
図３（ｂ）を用いて光源部１０８の放射線入射部１０７の方向から外力が加わった場合の放射線撮影装置１０１について説明する。外部から力が加わった場合に、光源部１０８は、弾性体２１０ｃに対し圧縮荷重に反する方向に外力を逃がすように変形する。更に、当該構成により、光源部１０８が温度変化により熱膨張や収縮が発生した場合であっても弾性体２１０ｃで調整され得る。
【００３１】
以上の構成により、第一の実施形態とは異なる構成で光源部１０８の自重による撓みを抑制し、且つ放射線センサパネル１０３への接触を防ぐことができる。
【００３２】
［実施例３］
図４を用いて、第三の実施形態における放射線撮影装置について説明する。他の実施形態との違いは、保持部が光源部の外縁部から光源部の外側へ引く荷重を付与する引張荷重部を有する点で異なる。その他の構成については第一の実施形態と同様である。以下、詳細に説明する。
【００３３】
図４は、第三の実施形態における放射線撮影装置１０１の断面図である。第三の実施形態における保持部は、引張荷重部３２０と変形抑制部３２１とを含んで構成されている。引張荷重部３２０と変形抑制部３２１とは、光源部１０８を挟んで対向する位置に配置されている。引張荷重部３２０は、光源押さえブロック３１０ａと緩衝材３１０ｃと弾性体３１０ｄとを含んで構成されている。変形抑制部３２１は、光源支持部３０９と光源押さえブロック３１０ａと緩衝材３１０ｃを有している。引張荷重部３２０及び変形抑制部３２１は、光源部１０８をコの字形状の光源押さえブロック３１０ａおよび光源引張ブロック３１０ｂの内側に配置された緩衝材３１０ｃで挟み込み固定している。緩衝材３１０ｃは、引張荷重を付加した際に、光源部１０８との摩擦力を低減させ、光源部１０８に傷をつけないために設けられている。緩衝材３１０ｃは、例えば、スポンジ、ゴム、樹脂等の材料が用いられる。
【００３４】
引張荷重部３２０は、光源引張ブロック３１０ｂと上カバー１０２ａを引張バネ３１０ｄで接続することで光源部１０８に引張荷重を付加することができる。引張荷重の調整は、弾性率の異なる弾性体３１０ｄを入れ替えることで調整することができる。更に、弾性体３１０ｄの数を増減することで荷重を調整することもできる。
【００３５】
変形抑制部３２１は、光源部１０８をコの字形状の光源押さえブロック３１０ａで固定することにより引張荷重部３２０から加えられた荷重に応じて光源部１０８の自重による撓みが発生する方向に変形することを抑制している。なお、引張荷重部３２０と変形抑制部３２１の各ブロックは、実施例１の各ブロックと同様の材料を使用することができる。
【００３６】
以上の構成により、光源部１０８の自重による撓みを抑制し、放射線センサパネル１０３への接触を防ぐ。なお、第二の実施形態と同様に、光源部１０８が温度変化により熱膨張や収縮が発生しても弾性体３１０ｄで調整され得る。
【００３７】
［実施例４］
図５を用いて、第四の実施形態における放射線撮影装置について説明する。他の実施形態との違いは、光源部の一部を支持層としている点で異なる。その他の構成については第一の実施形態と同様である。以下、詳細に説明する。
【００３８】
第四の実施形態の光源部４０８は、反射板４０８ａと導光板４０８ｂと拡散板４０８ｃと拡散板４０８ｄを含んで構成され、一体として積層されている。更に、光源部４０８は、導光支持板４０８ｆを含んで構成されている。導光支持板４０８ｆは、拡散板４０８ｄと放射線センサパネル１０３との間に配置される。導光支持板４０８ｆは、圧縮保持部４２０と変形抑制部４２１とにより放射線センサパネルが配置された方向に変形するように荷重を付与される。更に、放射線入射部１０７と光源部４０８との間に緩衝材４１１が配置されている。光源部４０８は、導光支持板４０８ｆと緩衝材４１１との間で挟まれるように保持される。
【００３９】
以上により、導光支持板４０８ｆで光源部４０８のうち導光支持板４０８ｆと異なる部分を支持し、光源部４０８と放射線センサパネル１０３との接触を防止することができる。
【００４０】
［実施例５］
図６を用いて、第五の実施形態における放射線撮影装置について説明する。他の実施形態との違いは、光源部１０８の放射線センサパネル１０３が配置された側の表面の形状が異なっている。当該光源部１０８の表面の形状の一部は、表面の形状の一部を除く他の部分に比べて放射線センサパネル１０３が配置された方向と反対方向に位置する形状となっている点で異なる。その他の構成については第一の実施形態と同様である。以下詳細に説明する。
【００４１】
本実施形態の光源部１０８は、第一の実施形態と同様の構成である。光源部１０８は、製造段階で窪んだ形状としている。当該形状にする場合には、全ての板が積層された状態で当該形状を形成してもよいし、各板を個別に窪ませた後に積層してもよい。光源部１０８は、窪んだ形状としているため、放射線センサパネル１０３に接触すること防止することができる。なお、当該窪ませる量は少なくとも、自重によって光源１０８が放射線センサパネル１０３の方向に変位する量より大きくすることが好ましい。このため、放射線センサパネル１０３が配置された側の表面の一部が、当該表面の一部を除く他の部分に比べて放射線センサパネル１０３が配置された方向と反対の方向に位置する形状となっている。そして、光源部１０８は、荷重を付与されることなく保持され得る。
【００４２】
保持部は、光源部１０８の外縁部に配置され、少なくとも光源部１０８を配置する機能を有している。保持部は、ブロック５１０ａと、ブロック５１０ｂ、光源支持部１０９を有している。光源部１０８は、光源支持部１０９に支持され、各ブロックにより光源部１０８の位置を保持する機能を有している。各ブロックは、光源部１０８の位置を規定できるため、荷重を加えて保持をしなくてもよい。なお、予め形状が変形された上述の光源部１０８であっても、先の実施例と同様に、保持部により荷重を加えて保持することも可能である。
【００４３】
以上により、光源部１０８に対し外縁部から荷重を付与することなく、放射線センサパネル１０３への接触を防ぐことができる。
【００４４】
（応用例）
図７は、第一から第五の放射線撮影装置の放射線撮影システム１への応用例を示す図の一例である。放射線撮影システム１には、本発明のいずれかの実施形態にかかる放射線撮影装置１０１が適用される。
【００４５】
放射線撮影システム１は、放射線源としてのＸ線チューブ６０５０と、放射線撮影装置１０１と、信号処理手段としてのイメージプロセッサ６０７０と、表示手段としてのディスプレイ６０８０、６０８１とを有する。更に、放射線撮影システム１は、これらに加えて、フィルムプロセッサ６１００と、レーザープリンタ６１２０とを有する。
【００４６】
放射線源としてのＸ線チューブ６０５０が発生させた放射線（Ｘ線）６０６０は、被検者６０６１の撮影部位６０６２を透過し、放射線撮影装置１０１に入射する。放射線撮影装置１０１に入射した放射線には、被検者６０６１の撮影部位６０６２の内部の情報が含まれている。
【００４７】
放射線撮影装置１０１に放射線が入射することにより、電気的な被検者６０６１の撮影部位６０６２の情報が得られる。この情報は、デジタル形式に変換されて、信号処理手段としてのイメージプロセッサ６０７０に出力される。
【００４８】
信号処理手段としてのイメージプロセッサ６０７０は、ＣＰＵとＲＡＭとＲＯＭを備えるコンピュータが適用される。更に、イメージプロセッサ６０７０は、記録手段として各種情報を記録可能な記録媒体を有する。たとえば、イメージプロセッサ６０７０は、記録手段としてＨＤＤやＳＳＤや記録可能な光ディスクドライブなどを内蔵している。または、イメージプロセッサ６０７０は、記録手段としてのＨＤＤやＳＳＤや記録可能な光ディスクドライブなどを外部に接続可能であってもよい。
【００４９】
そして、信号処理手段としてのイメージプロセッサ６０７０は、この情報に所定の信号処理を施し、表示手段としてのディスプレイ６０８０に表示させる。これにより、被検者や検者は、画像を観察できる。また、イメージプロセッサ６０７０は、この情報を記録手段としてのＨＤＤやＳＳＤや記録可能な光ディスクドライブに記録できる。
【００５０】
また、イメージプロセッサ６０７０は、情報の伝送手段として、外部に情報を伝送可能なインターフェースを有する構成であってもよい。このような伝送手段としてのインターフェースには、たとえば、ＬＡＮや電話回線６０９０を接続可能なインターフェースが適用できる。
【００５１】
そして、イメージプロセッサ６０７０は、伝送手段としてのインターフェースを介して、この情報を遠隔地に伝送することができる。たとえば、イメージプロセッサ６０７０は、この情報を、放射線撮影装置１０１が設置されたＸ線ルームから離れた場所にあるドクタールームに伝送する。これにより、医師等は、遠隔地において被検者の診断が可能となる。また、放射線撮影システム１は、記録手段としてのフィルムプロセッサ６１００により、この情報をフィルム６１１０に記録することもできる。
【００５２】
以上、本発明を実施例に基づいて詳述してきたが、本発明はこれらの特定の実施形態に限られるものではなく、この発明の要旨を逸脱しない範囲の様々な形態も本発明の範疇に含まれる。更に、上述した各実施形態は本発明の一実施の形態を示すものにすぎず、各実施形態を適宜組み合わせることも可能である。
【符号の説明】
【００５３】
１０１  放射線撮影装置
１０２  筐体
１０３  放射線センサパネル
１０８  光源部
１２０  圧縮荷重部
１２１  変形抑制部
【図１】
2015210181.tif 000003
【図２】
2015210181.tif 000004
【図３】
2015210181.tif 000005
【図４】
2015210181.tif 000006
【図５】
2015210181.tif 000007
【図６】
2015210181.tif 000008
【図７】
2015210181.tif 000009